(57)【要約】【課題】  場面に応じた分解能やレンジにて電源電圧を監視する。【解決手段】  マイコン２０ｃのＡ／Ｄポート２０ｃ１が生成させるデジタル信号の階調域および階調幅に対応する電圧をモードに応じて切り換える。これにより、それぞれ通常の動作時や出荷前の検査時に適した電圧監視を実現することができる。マイコン２０ｃのＡ／Ｄポート２０ｃ１のみによってそれぞれの電圧監視を行うことができるため、簡易な構成によって、かつ、電圧を外部に取り出すことなく、それぞれの電圧監視を実現することができる。【選択図】  図４
2008139674.tif 000002
【特許請求の範囲】
【請求項１】
少なくともサステイン電圧を含む電源電圧によって駆動されるプラズマディスプレイを具備するプラズマ表示装置において、
マイコンと、
上記サステイン電圧から分圧した監視電圧を生成する変換手段と、
上記マイコンに備えられ、上記監視電圧を入力する入力ポートと、
リモコン受信器にて受信されたリモコン信号に基づいて上記マイコンに備えられ、通常モードと計測モードとを切り換える切替手段と、
上記マイコンに備えられ、上記通常モードにおいて上記監視電圧の所定の電圧域を所定の階調幅の電圧階調によって表された第１のデジタル信号に変換する第１のＡ／Ｄ変換手段と、
上記マイコンに備えられ、上記計測モードにおいて上記第１のＡ／Ｄ変換手段における上記電圧域よりも狭い上記監視電圧の電圧域を上記第１のＡ／Ｄ変換手段における上記階調幅よりも狭い階調幅の電圧階調によって表された第２のデジタル信号に変換する第２のＡ／Ｄ変換手段と、
上記マイコンに備えられ、上記第１のＡ／Ｄ変換手段にて得られた上記第１のデジタル信号が異常値を示すとき上記電源電圧をＯＦＦさせる異常処理手段と、
上記マイコンに備えられ、上記第２のＡ／Ｄ変換手段にて得られた上記第２のデジタル信号に基づく電圧値をＯＳＤデータに基づいて上記プラズマディスプレイに表示させる電圧表示手段とを具備することを特徴とするプラズマ表示装置。
【請求項２】
少なくとも１つの電源電圧によって駆動されるディスプレイを具備する表示装置において、
マイコンと、
上記電源電圧から監視電圧を生成する変換手段と、
上記マイコンに備えられ、上記監視電圧を入力する入力ポートと、
上記マイコンに備えられ、上記監視電圧の所定の電圧域を所定の階調幅の電圧階調によって表された第１のデジタル信号に変換する第１のＡ／Ｄ変換手段と、
上記マイコンに備えられ、上記第１のＡ／Ｄ変換手段における上記電圧域よりも狭い上記監視電圧の電圧域を上記第１のＡ／Ｄ変換手段における上記階調幅よりも狭い階調幅の電圧階調によって表された第２のデジタル信号に変換する第２のＡ／Ｄ変換手段と、
上記マイコンに備えられ、上記第１のＡ／Ｄ変換手段にて得られた上記第１のデジタル信号が異常値を示すとき上記電源電圧をＯＦＦさせる異常処理手段と、
上記マイコンに備えられ、上記第２のＡ／Ｄ変換手段にて得られた上記第２のデジタル信号に基づく電圧値を上記ディスプレイに表示させる電圧表示手段とを具備することを特徴とする表示装置。
【請求項３】
通常モードにおいて上記第１のＡ／Ｄ変換手段と上記異常処理手段とを動作させ、計測モードにおいて上記第２のＡ／Ｄ変換手段と上記電圧表示手段とを動作させる切替手段を具備することを特徴とする請求項２に記載の表示装置。
【請求項４】
上記切替手段は、リモコン受信器にて受信されたリモコン信号に基づいて上記通常モードと上記計測モードとを切り換えることを特徴とする請求項３に記載の表示装置。
【請求項５】
上記電圧表示手段は、ＯＳＤデータとして記憶された画像データに基づいて上記電圧値を表示させることを特徴とする請求項２から請求項４のいずれかに記載の表示装置。
【請求項６】
上記電圧表示手段は、上記電圧値の時間に応じた変動を表示させることを特徴とする請求項２から請求項５のいずれかに記載の表示装置。
【発明の詳細な説明】
【技術分野】
【０００１】
本発明は、プラズマ表示装置および表示装置に関するものである。
【背景技術】
【０００２】
マイコンのＡ／Ｄポートにプラズマディスプレイの電源電圧を接続し、当該電源電圧をマイコンによる処理によって監視するものが知られている（特許文献１〜４、参照。）。
かかる構成によれば、電源が投入された状態において常時プラズマディスプレイの電源電圧をマイコンが監視することが可能であり、電源の異常検出や電圧のモニタリングを容易に行うことが可能であった。
【特許文献１】特開２００６−２２１１０５号公報
【特許文献２】特開２００３−３０２９３２号公報
【特許文献３】特開２００４−３１７６１０号公報
【特許文献４】特開平９−２９７５５９号公報
【発明の開示】
【発明が解決しようとする課題】
【０００３】
しかしながら、通常におけるプラズマディスプレイの動作時と、プラズマディスプレイの電源回路のセッティング時において監視する電源電圧は同一であっても、監視したい電圧のレベルやレンジが異なることがある。すなわち、通常においてはプラズマディスプレイが故障しない程度の電圧の異常検出ができれば足りるため電源電圧をおおまかに監視すればよいが、電源回路のセッティング時においては理想の電圧値に正確に設定する必要があるため理想値を中心として細かい電圧値を得なければならない。従って、異常検出のためにマイコンが電源電圧を検出するようにした場合であっても、電源回路のセッティング時においては別途電圧計等を接続して詳細に電源電圧を測定しなければならないという問題があった。この場合、電圧計等を接続するためにプラズマディスプレイを分解したり配線をする必要があるため、作業が繁雑となる。
本発明は、上記課題にかんがみてなされたもので、場面に応じた分解能やレンジにて電源電圧を監視することが可能なプラズマ表示装置および表示装置を提供することを目的とする。
【課題を解決するための手段】
【０００４】
上記目的を達成するために請求項２にかかる発明では、少なくとも１つの電源電圧によって駆動されるディスプレイを具備する表示装置において、マイコンと、上記電源電圧から監視電圧を生成する変換手段と、上記マイコンに備えられ、上記監視電圧を入力する入力ポートと、上記マイコンに備えられ、上記監視電圧の所定の電圧域を所定の階調幅の電圧階調によって表された第１のデジタル信号に変換する第１のＡ／Ｄ変換手段と、上記マイコンに備えられ、上記第１のＡ／Ｄ変換手段における上記電圧域よりも狭い上記監視電圧の電圧域を上記第１のＡ／Ｄ変換手段における上記階調幅よりも狭い階調幅の電圧階調によって表された第２のデジタル信号に変換する第２のＡ／Ｄ変換手段と、上記マイコンに備えられ、上記第１のＡ／Ｄ変換手段にて得られた上記第１のデジタル信号が異常値を示すとき上記電源電圧をＯＦＦさせる異常処理手段と、上記マイコンに備えられ、上記第２のＡ／Ｄ変換手段にて得られた上記第２のデジタル信号に基づく電圧値を上記ディスプレイに表示させる電圧表示手段とを具備する構成としてある。
【０００５】
上記のように構成した請求項２の発明において、ディスプレイが少なくとも１つの電源電圧によって駆動される。この電源電圧が変換手段によって監視電圧に変換される。マイコンは、上記監視電圧を入力する入力ポートを備えており、アナログの電圧信号である上記監視電圧を所定の階調幅の電圧階調によって表されたデジタル信号に変換する第１および第２のＡ／Ｄ変換手段が備えられる。このうち上記第２のＡ／Ｄ変換手段においては、上記第１のＡ／Ｄ変換手段が変換する第１のデジタル信号の階調幅よりも狭い階調幅で変換を行うことにより、より細かい階調幅の電圧階調によって表された第２のデジタル信号への変換が行われる。異常処理手段は、上記第１のＡ／Ｄ変換手段にて得られた上記第１のデジタル信号が異常値を示すとき上記電源電圧をＯＦＦさせる。一方、電圧表示手段は、上記第２のＡ／Ｄ変換手段にて得られた上記第２のデジタル信号に基づく電圧値を上記ディスプレイに表示させる。
【０００６】
また、請求項３にかかる発明では、通常モードにおいて上記第１のＡ／Ｄ変換手段と上記異常処理手段とを動作させ、計測モードにおいて上記第２のＡ／Ｄ変換手段と上記電圧表示手段とを動作させる切替手段を具備する構成としてある。
上記のように構成した請求項３の発明において、切替手段が上記第１のＡ／Ｄ変換手段と上記異常処理手段を動作させる通常モードと、上記第２のＡ／Ｄ変換手段と上記電圧表示手段とを動作させる計測モードを切り換える。
【０００７】
さらに、請求項４にかかる発明では、上記切替手段は、リモコン受信器にて受信されたリモコン信号に基づいて上記通常モードと上記計測モードとを切り換える構成としてある。
上記のように構成した請求項４の発明において、リモコン受信器にて受信されたリモコン信号に基づいて上記通常モードと上記計測モードとの切り換えが行われる。
【０００８】
また、請求項５にかかる発明では、上記電圧表示手段は、ＯＳＤデータとして記憶された画像データに基づいて上記電圧値を表示させる構成としてある。
上記のように構成した請求項５の発明において、上記電圧値の表示が、予めＯＳＤデータとして記憶された画像データに基づいて表示される。
【０００９】
さらに、請求項６にかかる発明では、上記電圧表示手段は、上記電圧値の時間に応じた変動を表示させる構成としてある。
上記のように構成した請求項６の発明において、上記電圧表示手段が上記電圧値の表示を行う際においても、上記マイコンが上記監視電圧を監視することができるため、時間に応じた上記電圧値の変動を表示することもできる。
【００１０】
以上の構成をさらに具体化したプラズマ表示装置によっても本発明を実現することができ、その具体例として請求項１にかかる発明は、少なくともサステイン電圧を含む電源電圧によって駆動されるプラズマディスプレイを具備するプラズマ表示装置において、マイコンと、上記サステイン電圧から分圧した監視電圧を生成する変換手段と、上記マイコンに備えられ、上記監視電圧を入力する入力ポートと、リモコン受信器にて受信されたリモコン信号に基づいて上記マイコンに備えられ、通常モードと計測モードとを切り換える切替手段と、上記マイコンに備えられ、上記通常モードにおいて上記監視電圧の所定の電圧域を所定の階調幅の電圧階調によって表された第１のデジタル信号に変換する第１のＡ／Ｄ変換手段と、上記マイコンに備えられ、上記計測モードにおいて上記第１のＡ／Ｄ変換手段における上記電圧域よりも狭い上記監視電圧の電圧域を上記第１のＡ／Ｄ変換手段における上記階調幅よりも狭い階調幅の電圧階調によって表された第２のデジタル信号に変換する第２のＡ／Ｄ変換手段と、上記マイコンに備えられ、上記第１のＡ／Ｄ変換手段にて得られた上記第１のデジタル信号が異常値を示すとき上記電源電圧をＯＦＦさせる異常処理手段と、上記マイコンに備えられ、上記第２のＡ／Ｄ変換手段にて得られた上記第２のデジタル信号に基づく電圧値をＯＳＤデータに基づいて上記プラズマディスプレイに表示させる電圧表示手段とを具備する構成としてある。
【００１１】
かかる構成においても請求項２から請求項５の各発明の発明特定事項が含まれるため、請求項２から請求項５の各発明の単独または相乗的な作用効果が実現できることはいうまでもない。
【発明の効果】
【００１２】
請求項１および請求項２の発明によれば、場面に応じた分解能やレンジにて電源電圧を監視することが可能なプラズマ表示装置および表示装置を提供することができる。
請求項３の発明によれば、モードを相互に切り換えることができる。
請求項４の発明によれば、リモコン操作によってモードを切り換えることができる。
請求項５の発明によれば、電圧値を種々の表示態様で表示することができる。
請求項６の発明によれば、電圧値の変動を監視することができる。
【発明を実施するための最良の形態】
【００１３】
ここでは、下記の順序に従って本発明の実施形態について説明する。
（１）プラズマディスプレイＴＶの構成：
（２）電源監視処理：
（３）変形例：
【００１４】
（１）プラズマディスプレイＴＶの構成
本実施例では、表示装置およびプラズマ表示装置がプラズマ（ＰＤＰ）ディスプレイＴＶである場合を例に説明する。図１は、プラズマディスプレイＴＶ２０を説明するブロック図である。同図において、プラズマディスプレイＴＶ２０は、アンテナ２０ａからの周波数信号を入力するチューナ部２０ｂを備えている。マイコン２０ｃは、図示しないＣＰＵとＲＡＭとＲＯＭを備えており、ＲＯＭに格納された制御プログラムおよび各種パラメータをＣＰＵが読み出し、ＲＡＭに展開して当該制御プログラムを実行する。マイコン２０ｃに制御された当該チューナ部２０ｂは、例えばシンセサイザ方式のチューナの構成とされ、選局制御信号としてＰＬＬデータ、すなわち、ＰＬＬグループにおける可変分周回路の分周比のデータが与えられる。赤外線信号を受光し、当該赤外線信号に対応するリモコン信号をマイコン２０ｃに出力するリモコン受信器２０ｊが備えられている。
【００１５】
チューナ部２０ｂからの出力は、マイコン２０ｃに制御されたクロマＩＣ２０ｄに供給される。クロマＣＩ２０ｄは入力された当該ビデオ信号のデジタル信号への変換処理や映像信号と音声信号の分離やインターレース形式の映像信号のプログレッシブ形式の映像信号への変換を行う。クロマＩＣ２０ｄで分離された音声信号は、アンプ２０ｅを介して増幅され、スピーカー２０ｆにて音声が出力される。
【００１６】
上記画像データはスケーラ２０ｇに入力されて、補間処理が成され、後述するプラズマディスプレイパネル２１ａに表示可能なように画素数が整合される。フレームメモリ２０ｉは、上記の信号処理、及び補間処理が施された一表示画面（フレーム）毎の映像信号データを一時的に格納するためのものであり、後述する駆動ドライバ２１ｂを介してプラズマディスプレイパネル２１ａに出力、表示される。
【００１７】
プラズマディスプレイパネル２１ａには、Ｘ方向電極とＹ方向電極とがマトリックス状に設けられ、例えば、ＷＸＧＡ（１３６６×７６８ピクセル）の画素を備え、オンまたはオフというように２値的に発光を行う表示装置である。そして、所定の発光回数を輝度重みとして有する所定数（例えば、１０個）のサブフィールドの発光の合計で階調が表現されて、中間調表示を行う。駆動ドライバ２１ｂは、プラズマディスプレイパネル２１ａにマトリックス状に設けられた上記両電極２１ｂ１，２１ｂ２に、フレームメモリ２０ｉに格納されたフレームデータに応じて発生させたデータパルスを印加し、所定のセルを発光制御する。ＯＳＤ回路２０ｋは、図示しないＯＳＤメモリに画像データとしてのＯＳＤデータを記憶しており、マイコン２０ｃの制御によって、適宜、ＯＳＤデータをスケーラ２０ｇに出力する処理が行われている。
【００１８】
なお、駆動ドライバ２１ｂとプラズマディスプレイパネル２１ａとで、プラズマディスプレイパネルモジュール２１が構成される。また、プラズマディスプレイＴＶ２０には、商用電源であるＡＣ１００Ｖが、後述する構成回路としての各電源回路に供給される。本実施例におけるプラズマディスプレイＴＶ２０には、図１に示すとおり、主な電源回路としてＶpfc２２ａ，Ｖsus２２ｂ，Ｖaddress２２ｃ，Ｖset２２ｄ，Ｖscan２２ｅ，Ｖerase２２ｆ，Ｖaudio２２ｇ，Ｖstandby２２ｈの８つが設けられている。
【００１９】
Ｖpfc（パワーファクタコントローラ）２２ａは、後述する通りＶsus２２ｂ，及びＶaddress２２ｃの２つの電源回路に所定の電源電圧を調整、供給するための電源回路である。Ｖsusは、Ｓｕｓｔａｉｎ（維持）回路の電源電圧を調整、供給するための電源回路である。Ｖaudio２２ｇは、被駆動回路としての上記アンプ２０ｅに所定の電源電圧を調整、供給するための電源回路である。Ｖstandby２２ｈは、被駆動回路としてのマイコン２０ｃに待機状態時に所定の電源電圧を調整、供給するための電源回路である。
【００２０】
Ｖset２２ｄは、駆動回路のＲＥＳＥＴの電源電圧を調整、供給するための電源回路である。Ｖscan２２ｅは、Ｓｃａｎ（走査）回路の電源電圧を調整、供給するための電源回路である。Ｖerase２２ｆは、Ｅｒａｓｅ（消去）回路の電源電圧を調整、供給するための電源回路である。供給されたＡＣ１００Ｖは、まずＶpfc２２ａ，Ｖaudio２２ｇ，Ｖstandby２２ｈの３つの電源回路に供給される。Ｖpfc２２ａでは、入力されたＡＣ１００Ｖを整流、昇圧してＤＣ＋３８５Ｖの電圧に調整し、Ｖsus２２ｂ，及びＶaddress２２ｃの２つの電源回路に供給する。これを受け、Ｖsus２２ｂはＤＣ＋１９２Ｖに降圧し、Ｖaddress２２ｃはＤＣ＋６６Ｖに降圧する。Ｖsus２２ｂは、当該ＤＣ＋１９２Ｖを上記した所定の被駆動回路に供給する。
【００２１】
Ｖaddress２２ｃではさらに、当該ＤＣ＋６６ＶをＶset２２ｄ，Ｖscan２２ｅ，Ｖerase２２ｆの３つの電源回路に供給する。３つの電源回路Ｖset２２ｄ，Ｖscan２２ｅ，Ｖerase２２ｆは供給された当該ＤＣ＋６６Ｖを、各々、ＤＣ＋１０５Ｖ，ＤＣ−２２２Ｖ，ＤＣ＋８５Ｖに降圧し、上記した各所定の被駆動回路に供給する。一方、Ｖaudio２２ｇは供給されたＡＣ１００Ｖを整流、降圧してＤＣ＋２１Ｖに調整し、被駆動回路としての上記アンプ２０ｅに供給する。Ｖstandby２２ｈは供給されたＡＣ１００Ｖを整流、降圧してＤＣ＋５Ｖに調整し、被駆動回路としてのマイコン２０ｃに待機状態時に供給する。
【００２２】
ところで、プラズマディスプレイＴＶ２０は、その構造上、駆動時にはプラズマディスプレイパネルモジュール２１に高電圧の印加が必要となる。その結果、上記各被駆動回路に供給される電源電圧値が所望の値に収まっていないと、プラズマディスプレイパネル２１ａ内に設けられる各発光素子が焼損しやすい傾向にある。従って、各被駆動回路に供給される電源電圧値が所望の値に正確に収まるように制御する必要があった。
【００２３】
そこで、図３に示すように、マイコン２０ｃに対してＶsus２２ｂとＶaddress２２ｃから出力されるサステイン電圧とアドレス電圧を監視するようにしている。上述したとおりＶsus２２ｂから出力されるサステイン電圧は＋１９２Ｖであるが、変換手段としての抵抗２５によってグランドとの間で分圧変換され＋２．５Ｖの監視電圧Ｖt1が生成される。同様に、アドレス電圧も抵抗２５によって＋２．５Ｖの監視電圧Ｖt2に分圧変換される。これらの、監視電圧Ｖt1，Ｖt2はマイコン２０ｃのＣＰＵに設けられた入力ポートしてのＡ／Ｄポート２０ｃ１，２０ｃ２にそれぞれ入力される。Ａ／Ｄポート２０ｃ１，２０ｃ２に入力された監視電圧Ｖt1，Ｖt2はそれぞれＡ／Ｄポート２０ｃ１，２０ｃ２にて１２８階調のデジタル信号に変換され、当該デジタル信号に応じた処理がＣＰＵにて実行される。
【００２４】
（２）電源監視処理
図３は、電源監視処理の流れを示している。電源監視処理は監視電圧Ｖt1，Ｖt2の双方に対して同様に行われるが、ここではサステイン電圧から得られた監視電圧Ｖt1に対して行う電源監視処理について説明する。図３のステップＳ１００においては、計測モードに移行するためのリモコン信号がリモコン受信器２０ｊからマイコン２０ｃに入力されたか否かが判断される。計測モードに移行するためのリモコン信号は、出荷前の工場検査工程等において用いられるリモコン送信器のみによって出力することが可能であり、一般のユーザーに提供されるリモコン送信器では当該リモコン信号を出力することができないようにされている。
【００２５】
従って、出荷後の通常使用においては、ステップＳ１００にて計測モードに移行するためのリモコン信号が受け付けられることはなく、ステップＳ１１０〜Ｓ１３０の通常モードの処理が実行されることとなる。一方、出荷前の検査工程や修理等において計測モードに移行するためのリモコン信号が受け付けられた場合には、マイコン２０ｃがステップＳ１４０〜Ｓ１６０の計測モードを実行する。すなわち、ステップＳ１００においてマイコン２０ｃは、通常モードと計測モードとの切り換えを行う切替手段を実行する。通常モードと計測モードにおけるステップＳ１１０とステップＳ１４０においてはそれぞれマイコン２０ｃによって監視電圧Ｖt1が取得される。
【００２６】
図４は、ステップＳ１１０とステップＳ１４０において取得される監視電圧Ｖt1を比較している。ステップＳ１１０，Ｓ１４０のいずれにおいてもマイコン２０ｃのＡ／Ｄポート２０ｃ１に入力された時点で監視電圧Ｖt1が＋２．５Ｖを中心として０〜＋５Ｖの範囲に分圧されていることに変わりはない。また、最終的に生成されるデジタル信号が１２８階調の７ビットデータであることにも変わりはない。しかしながら、通常モードにおける監視（ステップＳ１１０：第１のＡ／Ｄ変換手段）においては全１２８階調域を０〜＋５Ｖの監視電圧Ｖt1全体に割り当てているのに対し、計測モードにおける監視（ステップＳ１４０：第２のＡ／Ｄ変換手段）においては全１２８階調域を約＋２．４３５〜＋２．５６５Ｖの監視電圧Ｖt1の一部に割り当てている点において相違している。
【００２７】
これにより、通常モードにおける監視（ステップＳ１１０）では、変換されたデジタル信号（第１のデジタル信号）がサステイン電圧の０〜＋３８４Ｖの範囲を３８４／１２８＝３Ｖの階調幅の電圧階調により表現することとなる。一方、計測モードにおける監視（ステップＳ１４０）では、変換されたデジタル信号（第２のデジタル信号）がサステイン電圧の＋１８７〜＋１９７Ｖの範囲を１０／１２８＝０．０７８Ｖの階調幅の階調により表現することとなる。前者のデジタル信号によれば広い電圧範囲における大きな電圧変動を監視することができるとともに、後者のデジタル信号によれば狭い電圧範囲における微細な電圧変動を監視することができる。なお、いずれにおいても中間階調６３においては理想のサステイン電圧の＋１９２Ｖを示すこととなる。
【００２８】
通常モードにおけるステップＳ１２０では、上述した広電圧域に対応したデジタル信号に基づき、サステイン電圧が＋１１５〜＋２６９Ｖの正常範囲となっているか否かを判定する。上述したとおりデジタル信号は０〜＋３８４Ｖの範囲をカバーしているため、当該デジタル信号に基づいてサステイン電圧が＋１１５〜＋２６９Ｖの正常範囲か否かを判定することができる。ここで、サステイン電圧が正常範囲であれば、ステップＳ１００に戻り、通常処理の電圧監視を継続的に行う。一方、サステイン電圧が異常値であれば、ステップＳ１３０にて異常処理（異常処理手段）を行う。この異常処理においては、マイコン２０ｃが各電源をＯＦＦにする処理を行う。その際に、プラズマディスプレイパネル２１ａの高圧機器を破損しないような順序で順次電源をＯＦＦしていく。
【００２９】
計測モードにおけるステップＳ１５０では、上述した狭範囲のデジタル信号に基づき、サステイン電圧の計測値の表示をプラズマディスプレイパネル２１ａにて出力する（電圧表示手段）。具体的には、マイコン２０ｃがＯＳＤ回路２０ｋに計測した電圧値を表示するＯＳＤデータを出力する指示を出し、ＯＳＤ回路２０ｋが当該ＯＳＤデータを出力する。上述したとおりデジタル信号は＋１８７〜＋１９７Ｖの範囲を０．０７８Ｖの階調幅の高解像度により表現されているため、サステイン電圧のわずかなずれを検知することができる。従って、電源回路としてのＶsus２２ｂを構成する例えば可変抵抗等の微妙な設定ずれを把握することができる。
【００３０】
従って、出荷前において電源回路の検査に利用することができる。その際にリモコンにて計測モードに移行させればよく、Ｖsus２２ｂを外部に取り出して外部の電圧計にて計測を行わなくて済む。ステップＳ１６０においては、計測モードを終了させるためのリモコン信号が受け付けられたか否かが判定され、受け付けられなかった場合にはステップＳ１４０に戻り、再度、詳細なサステイン電圧を計測することとなる。従って、計測モードを終了させない限り、詳細なサステイン電圧は時間周期的に計測されることとなる。
【００３１】
図５は、ステップＳ１５０にて出力される計測値の表示の一例を示している。電圧値が時系列的に表示させられている。ステップＳ１４０〜Ｓ１６０が継続して行われるため、その都度得られた電圧値をＲＡＭにバッファしつつ順に表示している。例えば、ステップＳ１６０にて毎回６０秒ずつ待機をさせてからステップＳ１４０にリターンさせることにより、６０秒周期の電圧値を順に表示させることができ、電圧値の微細な変動を容易に検査することができる。ステップＳ１６０にて計測モードを終了させるためのリモコン信号が受け付けられた場合には、そのまま処理を終了させる。なお、サステイン電圧を一例に挙げて説明したが、同様にマイコン２０ｃが監視電圧Ｖt2を入力するアドレス電圧についても異常検出や詳細な電圧計測を行うことができる。むろん、他の電源電圧についても同様にマイコン２０ｃに監視電圧を入力させることにより、異常検出や詳細な電圧計測の対象とすることができる。
【００３２】
以上説明したようにマイコン２０ｃのＡ／Ｄポート２０ｃ１が生成させるデジタル信号の階調域および階調幅に対応する電圧をモードに応じて切り換えることにより、それぞれ通常の動作時や出荷前の検査時に適した電圧監視を実現することができる。マイコン２０ｃのＡ／Ｄポート２０ｃ１のみによってそれぞれの電圧監視を行うことができるため、簡易な構成によって、かつ、電圧を外部に取り出すことなく、それぞれの電圧監視を実現することができる。
【００３３】
（３）変形例
図６は、ステップＳ１５０にて出力される計測値の表示の別の一例を示している。同図においては、図５と同様に時間周期的な電圧値が順に表示されるとともに、各電圧値にそのときの温度が併記されている。例えば、プラズマディスプレイＴＶ２０のキャビネットの内側に温度センサを備えておき、その測定温度をマイコン２０ｃが検知し、電圧値とともにＯＳＤ回路２０ｋに出力するようにすれば、電圧値に温度が併記された表示を出力することができる。これにより、サステイン電圧の温度依存傾向も把握することができ、プラズマディスプレイＴＶ２０の安定動作温度範囲も容易に調査することができる。
【図面の簡単な説明】
【００３４】
【図１】プラズマディスプレイＴＶのブロック図である。
【図２】マイコンに監視電圧を入力する回路をブロック図である。
【図３】電源監視処理のフローチャートである。
【図４】デジタル信号の電圧域および階調幅を比較する図である。
【図５】ＯＳＤ表示の一例を示す図である。
【図６】ＯＳＤ表示の別の一例を示す図である。
【符号の説明】
【００３５】
２０…プラズマディスプレイＴＶ、２０ａ…アンテナ、２０ｂ…チューナ部、２０ｃ…マイコン、２０ｃ１，２０ｃ２…Ａ／Ｄポート、２０ｄ…クロマＩＣ、２０ｅ…アンプ、２０ｆ…スピーカー、２０ｇ…スケーラ、２０ｉ…フレームメモリ、２０ｊ…リモコン受信器、２０ｋ…ＯＳＤ回路、２１…プラズマディスプレイパネルモジュール、２１ａ…プラズマディスプレイパネル、２１ｂ…駆動ドライバ、２２ａ…Ｖpfc、２２ｂ…Ｖsus、２２ｃ…Ｖaddress、２２ｄ…Ｖset、２２ｅ…Ｖscan、２２ｆ…Ｖerase、２２ｇ…Ｖaudio、２２ｈ…Ｖstandby、２５…抵抗、Ｖt1，Ｖt2…監視電圧。
【図１】
2008139674.tif 000003
【図２】
2008139674.tif 000004
【図３】
2008139674.tif 000005
【図４】
2008139674.tif 000006
【図５】
2008139674.tif 000007
【図６】
2008139674.tif 000008